(57)【要約】【課題】携帯に適した小型の時計を係止手段により、衣服、帽子、バッグ等の任意の場所に取り付けることにより、袖をめくる、腕を動かす等の動作を行うことなく時刻を確認することができる携帯用時計の提供。【解決手段】小型の時計本体２と、該時計本体に取り付けられた係止手段３と、を備えた。【選択図】      図１
2005043163.tif 000002
【特許請求の範囲】
【請求項１】
小型の時計本体と、該時計本体に取り付けられた係止手段と、を備えたことを特徴とする携帯用時計。
【請求項２】
前記係止手段は、衣服やバッグに着脱可能なクリップ、ベルベットクロス、ピンのうちの何れか一つであることを特徴とする請求項１に記載の携帯用時計。
【請求項３】
前記時計本体に対して前記係止手段が回転可能な構成を備えていることを特徴とする請求項１記載の携帯用時計。
【発明の詳細な説明】
【０００１】
【発明の属する技術分野】
本発明は携帯用時計に関し、特に従来の腕時計の種々の欠点を解消して使い勝手を高めた携帯用時計に関する。
【０００２】
【従来の技術】
腕時計や懐中時計のように携帯に適した小型の時計は、便利である反面、不利不便を有している。まず、腕時計は、手首に装着する構成を備えているため、長袖の衣服を着用している場合に時刻を確認するためには袖をめくったり、腕を上げて見やすくする必要がある。しかし、工事現場や工場で作業をする人にとっては、作業中に時刻を確認するためにいちいち袖をめくったり、腕を上げる動作を行う必要があり、このような動作は作業の中断、作業性の低下、安全性の低下等の不具合をもたらす。特に、手が汚れているために袖をめくることができない場合には、時刻を知ることができなくなる。
また、他者との会談中等において腕時計を見る行為は、相手に不快感を与えることがある。
次に、懐中時計は、常時においては、上着のポケット等に時計本体が収容されており、時刻確認のためには手を使って時計本体をポケットから取り出して目視する必要がある。従って、時刻確認の手数がかかり、迅速性に欠けるきらいがある。また、肉体労働に従事する作業員の使用には適さない。また、人との会談中に懐中時計を見ることにより、相手に不快感を与えるという点では、腕時計以上に不具合がある。
また、女性であっても、文字盤の小さい女性用の腕時計を好まず、大判の男性用の腕時計を好んで使用する人がいるが、このような人にとっても大型の男性用の時計は手首になじまず、使い勝手がよくないことがある。
【０００３】
特開平８−１８９９７７号公報には、バンドを備えた腕時計を取り付ける時計ホルダーが開示されており、この時計ホルダーに取り付けた腕時計を衣服のポケットに入れた状態でホルダーに設けたクリップによりポケット上縁部を挟むことにより、時計がポケットから逸脱することを防止している。しかし、この従来例にあっては、時計をポケット内に収容して外部から見えないことが前提となっており、時計を見て時刻を確認するためにはホルダーごと時計をポケットから出す必要があり、懐中時計の場合と同様の不具合を有している。
また、特開２００２−１８１９６１には、振動アラーム時計の片面にクリップホルダーを取り付けてパジャマ等に装着できるようにしたクリップホルダー付き振動アラーム時計が開示されている。これは、就寝中の周囲の人に迷惑を掛けずに、使用者にだけ目覚ましのための振動アラームを伝えることを目的としている。しかし、振動アラームは、目視によって時刻を確認するための構成を備えていないため、衣服に取り付けたとしても時刻を確認することができない。
特開平７−２４６１１０号公報には、チケットやカード等を保持するホルダーに時計を取り付けた利便性に優れたホルダー付き時計が開示されているが、このホルダーは、ポケットやバック内に収容するタイプであり、衣服の外部から時刻を容易に知ることはできない。
【特許文献１】特開平８−１８９９７７号公報
【特許文献２】特開２００２−１８１９６１公報
【特許文献３】特開平７−２４６１１０号公報
【０００４】
【発明が解決しようとする課題】
本発明は上記に鑑みてなされたものであり、携帯に適した小型の時計を係止手段により、衣服、帽子、バッグ等の任意の場所に取り付けることにより、袖をめくる等の動作を行うことなく時刻を確認できるようにした携帯用時計を提供することを目的とする。
【０００５】
【課題を解決するための手段】
上記課題を解決するため、請求項１の発明は、小型の時計本体と、該時計本体に取り付けられた係止手段と、を備えたことを特徴とする。
従来は携帯可能な小型時計は、腕にはめるのが常識であったが、本発明では小型時計に係止手段を設けて、衣服等の任意の箇所に装着可能とした。これにより、従来の腕時計の不利不便を解消することが可能となった。
請求項２の発明は、請求項１において、前記係止手段は、衣服やバッグに着脱可能なクリップ、ベルベットクロス、ピンのうちの何れか一つであることを特徴とする。
請求項３の発明は、請求項１において、前記時計本体に対して前記係止手段が回転可能な構成を備えていることを特徴とする。
【０００６】
【発明の実施の形態】
以下、添付図面に示した実施の形態により詳細に説明する。
図１（ａ）及び（ｂ）は本発明の一実施形態に係る携帯用時計の斜視図、及び側面図であり、この携帯用時計１は、小型のアナログ時計本体２の裏面側にクリップ（係止手段）３を取付けた構成を備えている。
時計本体２は、腕時計、或いはそれよりも小型のアナログ時計を流用したもので十分であり、その裏面に直接、或いは台座を介してクリップ３を取り付ける。
図２はアナログ時計に代えてデジタル時計本体５を用いた携帯用時計である。
クリップ３は、バネによって閉じる方向に付勢されたクリップ片３ａにより、衣服等の被取付け対象物を挟んで係止する手段である。また、クリップの基部３ｂを回転自在に構成することによって、時計本体に対するクリップの方向を任意に変更できるように構成するのが好ましい。
係止手段としては、クリップに代えて、図３に示した如きピン１０と、ピン押え１１から成る係止手段であってもよいし、ベルベットクロス（マジックテープ（登録商標））を用いても良い。
【０００７】
図４（ａ）（ｂ）及び（ｃ）は、図１に示したクリップ方式の携帯用時計１を衣服に取り付ける例を示す図である。
まず、図４（ａ）は衣服のポケット１５の端縁に取り付けた例を示している。この例では、時計本体２の表示面を外側に向けた状態で、クリップ３をポケット１５の縁部に対して着脱自在に取り付けている。
このようにポケットの上部に表示面を外向きに取り付けることにより、顔を時計本体２に向けるだけで時刻を目視確認することができ、腕を使用した作業中等においても、袖をめくったり、腕を大きく動かす等の煩雑な動作が不要となる。従って、現在進行中の作業が中断されたり阻害されることがなく、作業性が低下することがなくなる。また、作業の安全性も高まる。
更に、手首に腕時計を取り付けている場合に比べて、顔や目を動かすだけで時刻が確認できるため、対話している相手方に気を遣わせたり、不快感を味合わせることがなくなる。
なお、表示面の針や文字による時刻表示を見やすくするために、時計本体の上下を逆にして取り付けて置いても良い。前記のようにクリップ３の基部３ｂを回転自在にして、時計本体２に対する角度を任意に調整するようにすれば、時計本体の向きを見やすい方向に設定できる。
【０００８】
次に、図４（ｂ）は本発明の携帯用時計１をネクタイ１６に取り付けた例を示しており、（ｃ）はワイシャツ等の前袷部１７に携帯用時計を取り付けた例を示している。ネクタイ１６や前袷部１７は、上下方向へ長く延びているため、任意の高さ位置に携帯用時計１を取り付けて見やすくすることができる。
また、図４（ｄ）に示すように、クリップ３を、長袖、或いは半袖の上着の袖部に取り付けても良いし、ズボン、帽子等に取り付けても良い。
さらに、バッグのポケット、肩紐等に取り付けてもよく、時刻の確認に便利である。
また、クリップ３は、衣服、バッグ等の着衣や携帯品のみならず、クリップにより取付けが可能な任意の箇所に装着できるため便利である。
また、時計本体２の外観の装飾性を高めることにより、アクセサリーとしても有効活用することができる。
また、大判の男性用の腕時計を常用する女性にとって、男性用の腕時計が手首になじまない場合があるが、そのような場合に、袖、ポケット、上着、ズボン、或いはバッグ等の携帯品に本発明の携帯用腕時計１を取り付けることによって、使い勝手が向上することも確認されている。
【０００９】
【発明の効果】
以上のように本発明によれば、携帯に適した小型の時計を係止手段により、衣服、帽子、バッグ等の任意の場所に取り付けることにより、袖をめくる、腕を動かす等の動作を行うことなく時刻を確認することができる。
従って、腕を動かしたり、袖をめくる動作ができない場合であっても、顔や目を動かすだけで、時刻を目視確認することができる。更に、対話相手に感づかれずに時刻を確認することができる。また、時計をおしゃれな装飾品として有効活用することができる。また、大判の時計を好む女性が、手首に装着しなくても活用することが可能となる。
【図面の簡単な説明】
【図１】（ａ）及び（ｂ）は本発明の一実施形態に係る携帯用時計の斜視図、及び側面図。
【図２】（ａ）及び（ｂ）は図１のアナログ時計に代えてデジタル時計本体５を用いた携帯用時計の斜視図、及び側面図。
【図３】本発明の他の実施形態に係る携帯用時計を示す図。
【図４】（ａ）（ｂ）（ｃ）及び（ｄ）は携帯用時計の装着例を示す図。
【符号の説明】
１  携帯用時計、２  アナログ時計本体、３  クリップ（係止手段）、３ａ  クリップ片、３ｂ  基部、５  デジタル時計本体、１０  ピン、１１  ピン押え、１５  ポケット、１６  ネクタイ、１７  前袷部。
【図１】
2005043163.tif 000003
【図２】
2005043163.tif 000004
【図３】
2005043163.tif 000005
【図４】
2005043163.tif 000006